(57)【要約】【課題】記録媒体を多数回使用可能とする。【解決手段】実施形態の再生装置は、加熱によって消色する印刷層が設けられた記録媒体に洗浄剤を供給して、前記記録媒体から前記印刷層を除去する洗浄装置と、前記印刷層の除去の要否を判断するか、又は、前記印刷層の残留物が表示する画像の濃度、前記記録媒体の被印刷面の光沢、若しくは前記被印刷面の表面粗さを閾値と比較して、前記印刷層が十分に除去されたかを判断する判断装置とを含んでいる。【選択図】図１
2020066163.tif 000002
【特許請求の範囲】
【請求項１】
加熱によって消色する印刷層が設けられた記録媒体に洗浄剤を供給して、前記記録媒体から前記印刷層を除去する洗浄装置と、
前記印刷層の除去の要否を判断するか、又は、前記印刷層の残留物が表示する画像の濃度、前記記録媒体の被印刷面の光沢、若しくは前記被印刷面の表面粗さを閾値と比較して、前記印刷層が十分に除去されたかを判断する判断装置と
を備えた再生装置。
【請求項２】
前記記録媒体には、前記記録媒体への印刷回数に関する情報が記録されており、
前記判断装置は、前記情報を読み取り、前記印刷回数が閾値を超えている場合に、前記印刷層の除去が必要であると判断する請求項１に記載の再生装置。
【請求項３】
前記判断装置は、前記印刷層を消色させた後に、前記印刷層の除去の要否を判断するか、又は、前記印刷層が十分に除去されたかを判断する請求項１又は２に記載の再生装置。
【請求項４】
前記印刷層を加熱して消色させる消色装置を更に備えた請求項１乃至３の何れか１項に記載の再生装置。
【請求項５】
請求項１乃至４の何れか１項に記載の再生装置と、
記録媒体へ消色インクを供給して、加熱によって消色する印刷層を形成する画像形成装置と
を備えた画像形成システム。
【発明の詳細な説明】
【技術分野】
【０００１】
本発明の実施形態は、再生装置及び画像形成システムに関する。
【背景技術】
【０００２】
近年、環境保護や経済性等の観点から、記録媒体の用量削減が求められている。このような要求に応えるものとして、加熱することによって実質的に無色にすることが可能な不可逆サーモクロミックインク組成物が知られている。不可逆サーモクロミックインク組成物は、例えば、変色性染料と、カラーアクチベータと、消色剤と、変色性染料及びカラーアクチベータを消色剤から化学的に分離するためのワックスとを含んでいる。
【０００３】
そのようなインク組成物を使用して形成した印刷層は、加熱によって消色させることができる。従って、このインク組成物を使用することにより、記録媒体を繰り返し使用することができる。
【先行技術文献】
【特許文献】
【０００４】
【特許文献１】特表２０１５−５０９１２１号公報
【発明の概要】
【発明が解決しようとする課題】
【０００５】
本発明が解決しようとする課題は、記録媒体を多数回使用可能とすることにある。
【課題を解決するための手段】
【０００６】
実施形態によれば、加熱によって消色する印刷層が設けられた記録媒体に洗浄剤を供給して、前記記録媒体から前記印刷層を除去する洗浄装置と、前記印刷層の除去の要否を判断するか、又は、前記印刷層の残留物が表示する画像の濃度、前記記録媒体の被印刷面の光沢、若しくは前記被印刷面の表面粗さを閾値と比較して、前記印刷層が十分に除去されたかを判断する判断装置とを備えた再生装置が提供される。
【図面の簡単な説明】
【０００７】
【図１】一実施形態に係る画像形成システムのブロック図。
【図２】図１の画像形成システムに利用可能な画像形成装置を概略的に示す図。
【図３】一実施形態に係る画像形成方法を示すフローチャート。
【図４】他の実施形態に係る画像形成方法を示すフローチャート。
【発明を実施するための形態】
【０００８】
以下、実施形態について、図面を参照しながら詳細に説明する。なお、同様又は類似した機能を発揮する構成要素には全ての図面を通じて同一の参照番号を付し、重複する説明は省略する。
【０００９】
図１は、一実施形態に係る画像形成システムのブロック図である。図２は、図１の画像形成システムに利用可能な画像形成装置を概略的に示す図である。
【００１０】
図１に示す画像形成システム１は、画像形成装置１０と再生装置２０とを含んでいる。
【００１１】
画像形成装置１０は、ここでは、インクジェット記録装置である。画像形成装置１０は、筐体１１と、インク吐出装置１２と、移動装置１３と、搬送装置１４と、ホスト制御装置１５とを含んでいる。
【００１２】
インク吐出装置１２は、筐体１１内に設置されている。インク吐出装置１２は、インクカートリッジ１２１とインクジェットヘッド１２２とを含んでいる。
【００１３】
インクカートリッジ１２１は、インクカートリッジ本体と、インクカートリッジ本体に収容されたインクＩとを含んでいる。インクカートリッジ１２１は、インクジェットヘッド１２２へインクＩを供給する。インクジェットヘッド１２２は、インクカートリッジ１２１から供給されたインクＩを吐出する。なお、インクＩについては、後で詳しく説明する。
【００１４】
移動装置１３は、インク吐出装置１２を、Ａ方向へ移動させる。移動装置１３は、キャリッジ１３１と、一対のローラ１３２と、ベルト１３３と、図示しないモータとを含んでいる。
【００１５】
キャリッジ１３１は、ベルト１３３に取り付けられている。キャリッジ１３１は、インクジェットヘッド１２２を支持している。また、キャリッジ１３１は、インクカートリッジ１２１を着脱可能に支持している。
【００１６】
ローラ１３２の一方は、モータの回転軸に取り付けられている。ベルト１３３は、ローラ１３２に架け渡されている。従って、モータを駆動することにより、キャリッジ１３１はＡ方向へ移動する。
【００１７】
搬送装置１４は、記録媒体Ｓを、記録媒体Ｓの面に対して垂直方向又は平行方向へ移動させる。搬送装置１４は、記録媒体Ｓを着脱可能に支持する支持体と、この支持体を記録媒体Ｓの面に対して垂直方向又は平行方向へ移動させる移動装置とを含んでいる。なお、記録媒体Ｓについては、後で説明する。
【００１８】
ホスト制御装置１５は、インク吐出装置１２、移動装置１３及び搬送装置１４に、電気的に接続されている。ホスト制御装置１５は、インク吐出装置１２、移動装置１３及び搬送装置１４の動作を制御する。画像形成装置１０は、ホスト制御装置１５による制御のもと、記録媒体Ｓにインクを供給して、印刷層を形成する。
【００１９】
ここで、記録媒体Ｓについて説明する。  
記録媒体Ｓは、どのような形状を有していてもよい。例えば、記録媒体Ｓは、フィルム、シート又は板状であってもよく、立体的な形状を有するものであってもよい。また、記録媒体Ｓは、可撓性であってもよく、硬質であってもよい。
【００２０】
記録媒体Ｓの被印刷面は、インクが浸透可能な浸透性を有するものであってもよいが、インクが浸透不可能な非浸透性であることが好ましい。記録媒体Ｓの被印刷面が非浸透性である場合、後述する洗浄装置による印刷層の除去が容易である。
【００２１】
記録媒体Ｓは、例えば、紙代替品、カード、ラベル、包装フィルム、箱、缶又は瓶である。記録媒体Ｓの被印刷面は、例えば、無機物、例えば、ガラス又はアルミニウムなどの金属；有機物、例えば、ポリエチレンテレフタレート及びポリ塩化ビニルなどのプラスチック；又はそれらの組み合わせからなる。
【００２２】
次に、インクＩについて説明する。  
インクＩは、消色インクである。消色インクから形成した印刷層は、着色した状態において画像を表示する。そして、この印刷層は、加熱することによって消色する。一例によれば、消色インクは、加熱消色性発色粒子と分散媒とを含んだ分散液である。
【００２３】
１．加熱消色性発色粒子
加熱消色性発色粒子は、加熱することにより、着色状態から消色状態へと変化する粒子である。消色インクに占める加熱消色性発色粒子の割合は、１乃至４０質量％の範囲内にあることが好ましく、１乃至３０質量％の範囲内にあることがより好ましく、３乃至２０質量％の範囲内にあることがより好ましい。  
１．１．呈色性化合物
呈色性化合物は、後述する顕色剤と反応して発色する物質である。呈色性化合物は、電子供与性の物質であることが好ましい。  
呈色性化合物としては、例えば、ロイコ色素、具体的には、ロイコオーラミン類、ローダミンＢラクタム類、インドリン類、スピロピラン類、及びフルオラン類等の電子供与性有機物を使用することができる。
【００２４】
呈色性化合物としては、例えば、クリスタルバイオレットラクトン（ＣＶＬ）、マラカイトグリーンラクトン、２−アニリノ−６−（Ｎ−シクロヘキシル−Ｎ−メチルアミノ）−３−メチルフルオラン、２−アニリノ−３−メチル−６−（Ｎ−メチル−Ｎ−プロピルアミノ）フルオラン、３−［４−（４−フェニルアミノフェニル）アミノフェニル］アミノ−６−メチル−７−クロロフルオラン、２−アニリノ−６−（Ｎ−メチル−Ｎ−イソブチルアミノ）−３−メチルフルオラン、２−アニリノ−６−（ジブチルアミノ）−３−メチルフルオラン、３−クロロ−６−（シクロヘキシルアミノ）フルオラン、２−クロロ−６−（ジエチルアミノ）フルオラン、７−（Ｎ，Ｎ−ジベンジルアミノ）−３−（Ｎ，Ｎ−ジエチルアミノ）フルオラン、３，６−Ｂｉｓ（ジエチルアミノ）フルオラン−γ−（４’−ニトロ）アニリノラクタム、３−ジエチルアミノベンゾ［ａ］−フルオラン、３−ジエチルアミノ−６−メチル−７−アミノフルオラン、３−ジエチルアミノ−７−キシリジノフルオラン、３−（４−ジエチルアミノ−２−ヘキシルオキシフェニル）−３−（１−エチル−２−メチルインドール−３−イル）−４−アザフタリド、３−（４−ジエチルアミノフェニル）−３−（１−エチル−２−メチルインドール−３−イル）フタリド、３−ジエチルアミノ−７−クロロアニリノフルオラン、３−ジエチルアミノ−７，８−ベンゾフルオラン、３，３−Ｂｉｓ（１−ｎ−ブチル−２−メチルインドール−３−イル）フタリド、３，６−ジメチルエソキシフルオラン、３−ジエチルアミノ−６−メソキシ−７−アミノフルオラン、ＤＥＰＭ、ＡＴＰ，ＥＴＡＣ、２−（２−クロロアニリノ）−６−ジブチルアミノフルオラン、クリスタルバイオレットカルビノール、マラカイトグリーンカルビノール、Ｎ−（２、３−ジクロロフェニル）ロイコオーラミン、Ｎ−ベンゾイルオーラミン、ローダミンＢラクタム、Ｎ−アセチルオーラミン、Ｎ−フェニルオーラミン、２−（フェニルイミノエタンジリデン）−３，３−ジメチルインドリン、Ｎ−３，３−トリメチルインドリノベンゾスピロピラン、８’−メトキシ−Ｎ−３，３−トリメチルインドリノベンゾスピロピラン、３−ジエチルアミノ−６−メチル−７−クロロフルオラン、３−ジエチルアミノ−７−メトキシフルオラン、３−ジエチルアミノ−６−ベンジルオキシフルオラン、１，２−ベンツ−６−ジエチルアミノフルオラン、３，６−ジ−ｐ−トルイジノ−４，５−ジメチルフルオラン−フェニルヒドラジド−γ−ラクタム、又は３−アミノ−５−メチルフルオランを使用することができる。
【００２５】
これらは、単独で又は２種以上を混合して用いることができる。呈色性化合物を適宜選択することによって、多様な色の発色状態が得られるため、多色を表現することも可能となる。
【００２６】
消色インクは、顕色剤１００質量部に対して、呈色性化合物を５乃至５０質量部の範囲内で含むことが好ましく、１０乃至４０質量部の範囲内で含むことがより好ましい。
【００２７】
１．２．顕色剤
顕色剤は、呈色性化合物を発色させる物質である。顕色剤は、電子受容性の物質であることが好ましい。
【００２８】
顕色剤としては、例えば、フェノール類、フェノール金属塩類、カルボン酸金属塩、芳香族カルボン酸、炭素数２乃至５の脂肪族カルボン酸、ベンゾフェノン類、スルホン酸、スルホン酸塩、リン酸、リン酸金属塩類、酸性リン酸エステル、酸性リン酸エステル金属塩、亜リン酸、亜リン酸金属塩、モノフェノール類、ポリフェノール類、１、２、３−トリアゾール及びその誘導体等が挙げられる。顕色剤として、その置換基としてアルキル基、アリール基、アシル基、アルコキシカルボニル基、カルボキシ基及びそのエステル若しくはアミド基、又はハロゲン基を更に有するもの、ビス若しくはトリスフェノール類、フェノール−アルデヒド縮合樹脂、及びそれらの金属塩も挙げられる。
【００２９】
顕色剤としては、例えば、フェノール、ｏ−クレゾール、ターシャリーブチルカテコール、ノニルフェノール、ｎ−オクチルフェノール、ｎ−ドデシルフェノール、ｎ−ステアリルフェノール、ｐ−クロロフェノール、ｐ−ブロモフェノール、ｏ−フェニルフェノール、ｐ−ヒドロキシ安息香酸ｎ−ブチル、ｐ−ヒドロキシ安息香酸ｎ−オクチル、ｐ−ヒドロキシ安息香酸ベンジル、ジヒドロキシ安息香酸及びそのエステル、例えば、２，３−ジヒドロキシ安息香酸、３，５−ジヒドロキシ安息香酸メチル、レゾルシン、没食子酸、没食子酸ドデシル、没食子酸エチル、没食子酸ブチル、没食子酸プロピル、２，２−ビス（４−ヒドロキシフェニル）プロパン、４，４−ジヒドロキシジフェニルスルホン、１，１−ビス（４−ヒドロキシフェニル）エタン、２，２−ビス（４−ヒドロキシ−３−メチルフェニル）プロパン、ビス（４−ヒドロキシフェニル）スルフィド、１−フェニル−１，１−ビス（４−ヒドロキシフェニル）エタン、１，１−ビス（４−ヒドロキシフェニル）−３−メチルブタン、１，１−ビス（４−ヒドロキシフェニル）−２−メチルプロパン、１，１−ビス（４−ヒドロキシフェニル）ｎ−ヘキサン、１，１−ビス（４−ヒドロキシフェニル）ｎ−ヘプタン、１，１−ビス（４−ヒドロキシフェニル）ｎ−オクタン、１，１−ビス（４−ヒドロキシフェニル）ｎ−ノナン、１，１−ビス（４−ヒドロキシフェニル）ｎ−デカン、１，１−ビス（４−ヒドロキシフェニル）ｎ−ドデカン、２，２−ビス（４−ヒドロキシフェニル）ブタン、２，２−ビス（４−ヒドロキシフェニル）エチルプロピオネート、２，２−ビス（４−ヒドロキシフェニル）−４−メチルペンタン、２，２−ビス（４−ヒドロキシフェニル）ヘキサフルオロプロパン、２，２−ビス（４−ヒドロキシフェニル）ｎ−ヘプタン、２，２−ビス（４−ヒドロキシフェニル）ｎ−ノナン、２，４−ジヒドロキシアセトフェノン、２，５−ジヒドロキシアセトフェノン、２，６−ジヒドロキシアセトフェノン、３，５−ジヒドロキシアセトフェノン、２，３，４−トリヒドロキシアセトフェノン、２，４−ジヒドロキシベンゾフェノン、４，４’−ジヒドロキシベンゾフェノン、２，３，４−トリヒドロキシベンゾフェノン、２，４，４’−トリヒドロキシベンゾフェノン、２，２’，４，４’−テトラヒドロキシベンゾフェノン、２，３，４，４’−テトラヒドロキシベンゾフェノン、２，４’−ビフェノール、４，４’−ビフェノール、４−［（４−ヒドロキシフェニル）メチル］−１，２，３−ベンゼントリオール、４−［（３，５−ジメチル−４−ヒドロキシフェニル）メチル］−１，２，３−ベンゼントリオール、４，６−ビス［（３，５−ジメチル−４−ヒドロキシフェニル）メチル］−１，２，３−ベンゼントリオール、４，４’−［１，４−フェニレンビス（１−メチルエチリデン）ビス（ベンゼン−１，２，３−トリオール）］、４，４’−［１，４−フェニレンビス（１−メチルエチリデン）ビス（１，２−ベンゼンジオール）］、４，４’，４’’−エチリデントリスフェノール、４，４’−（１−メチルエチリデン）ビスフェノール、並びにメチレントリス−ｐ−クレゾールがある。  
これらは、単独で又は２種以上を混合して用いることができる。
【００３０】
１．３．消色剤
消色剤は、加熱により、上述した呈色性化合物を消色させる性質を有している。  
消色剤としては、例えば、アルコール類、エステル類、ケトン類、エーテル類、及び酸アミド類が挙げられる。
【００３１】
エステル類としては、例えば、置換芳香族環を含むカルボン酸エステル、無置換芳香族環を含むカルボン酸と脂肪族アルコールとのエステル、無置換芳香族環を含むカルボン酸と芳香族アルコールとのエステル、分子中にシクロヘキシル基を含むカルボン酸エステル、脂肪酸と芳香族アルコールとのエステル、脂肪酸とフェノールとのエステル、脂肪酸と直鎖状脂肪族アルコールとのエステル、脂肪酸と分岐鎖状脂肪族アルコールとのエステル、ジカルボン酸と芳香族アルコールとのエステル、及びジカルボン酸と分岐鎖状脂肪族アルコールとのエステルが挙げられる。
【００３２】
無置換芳香族環を含むカルボン酸と芳香族アルコールとのエステルとしては、例えば、ケイ皮酸ジベンジルが挙げられる。
【００３３】
脂肪酸と芳香族アルコールとのエステルとしては、例えば、カプリル酸−４−ベンジルオキシフェニルエチルが挙げられる。
【００３４】
脂肪酸と直鎖状脂肪族アルコールとのエステルとしては、例えば、パルミチン酸−ｎ−ヘプチル、パルミチン酸−ｎ−オクチル、ステアリン酸ヘプチル、アジピン酸ジデシル、アジピン酸ジラウリル、アジピン酸ジミリスチル、アジピン酸ジセチル、及びアジピン酸ジステアリルが挙げられる。
【００３５】
脂肪酸と分岐鎖状脂肪族アルコールとのエステルとしては、例えば、トリラウリン、トリミリスチン、及びトリステアリンが挙げられる。
【００３６】
ジカルボン酸と芳香族アルコールとのエステルとしては、例えば、ピメリン酸と２−（４−ベンジルオキシフェニル）エタノールが挙げられる。  
これらは、単独で又は２種以上を混合して用いることができる。
【００３７】
消色インクは、消色剤を、呈色性化合物１００質量部に対して、１００乃至８００００質量部の範囲内で含むことが好ましく、５００乃至２００００質量部の範囲内で含むことがより好ましく、５００乃至１００００質量部の範囲内で含むことが更に好ましい。  
加熱消色性発色粒子は、マイクロカプセル化されたものでも良い。呈色性化合物、顕色剤及び消色剤をカプセル化すると、後述する洗浄装置により印刷層を除去したときに、記録媒体Ｓ上に残留物を生じ難い。
【００３８】
２．分散媒
分散媒は、例えば、水又は水溶液である。  
（湿潤剤）
分散媒は、インクの乾燥を防止する湿潤剤を更に含むことができる。湿潤剤としては、水溶性の液体湿潤剤、例えば、多価アルコール、含窒素複素環化合物、アミン類、又は含硫黄化合物を使用することができる。
【００３９】
多価アルコールとしては、例えば、エチレングリコール、ジエチレングリコール、トリエチレングリコール、ポリエチレングリコール、ジプロピレングリコール、ポリプロピレングリコール、１，５−ペンタンジオール、１，６−ヘキサンジオール、グリセリン、１，２，６−ヘキサントリオール、１，２，４−ブタントリオール、１，２，３−ブタントリオール、及び３−メチル−１，３，５−ペンタントリオールが挙げられる。
【００４０】
含窒素複素環化合物としては、例えば、Ｎ−メチル−２−ピロリドン、Ｎ−ヒドロキシエチル−２−ピロリドン、２−ピロリドン、１，３−ジメチルイミダゾリジノン、及びε−カプロラクタムが挙げられる。
【００４１】
アミン類としては、例えば、モノエタノールアミン、ジエタノールアミン、トリエタノールアミン、モノエチルアミン、ジエチルアミン、及びトリエチルアミンが挙げられる。
【００４２】
含硫黄化合物としては、例えば、ジメチルスルホキシド、スルホラン、及びチオジエタノール等が挙げられる。
【００４３】
多価アルコール、含窒素複素環化合物、アミン類及び含硫黄化合物以外の液体湿潤剤としては、例えば、プロピレンカーボネート、炭酸エチレン、及びγ−ブチロラクトンが挙げられる。
【００４４】
これらの湿潤剤の中では、グリセリンは、他の湿潤剤と比較して、保水性が高く、しかも沸点が高いため揮発し難い。従って、湿潤剤の少なくとも一部として、グリセリンを使用することが好ましい。
【００４５】
インク中の湿潤剤の濃度は、１乃至４０質量％の範囲内にあることが好ましく、２乃至４０質量％の範囲内にあることがより好ましい。
【００４６】
湿潤剤は、１種のみを使用してもよく、２種以上を組合せて使用してもよい。また、湿潤効果を更に向上させるため、上述した液体湿潤剤と、尿素、チオ尿素、及びエチレン尿素等の固体湿潤剤とを併用してもよい。固体湿潤剤が湿潤剤全体に占める割合は、３０質量％以下であることが好ましい。
【００４７】
（吐出安定剤）
分散媒は、吐出安定剤を更に含むことができる。  
吐出安定剤は、例えば、高分子分散剤又は界面活性剤である。
【００４８】
高分子分散剤としては、例えば、ポリビニルアルコール、ポリビニルピロリドン、ポリアクリル酸、アクリル酸−アクリロニトリル共重合体、アクリル酸−アクリル酸エステル共重合体、スチレン−アクリル酸共重合体、スチレン−メタクリル酸共重合体、及びスチレン−マレイン酸共重合体が挙げられる。
【００４９】
界面活性剤としては、例えば、脂肪酸塩類、高級アルキルジカルボン酸塩、高級アルコール硫酸エステル塩類、高級アルキルスルホン酸塩、高級脂肪酸とアミノ酸との縮合物、スルホ琥珀酸エステル塩、ナフテン酸塩、液体脂肪油硫酸エステル塩類、アルキルアリルスルホン酸塩、ポリオキシエチレンアルキルエーテルカルボン酸塩、ポリオキシエチレンアルキルエーテル硫酸エステル塩、及びポリオキシエチレンアルキルエーテルリン酸塩などの陰イオン界面活性剤が挙げられる。
【００５０】
界面活性剤として、ポリオキシエチレンアルキルエーテル類、ポリオキシエチレンアルキルエステル類、ソルビタンアルキルエステル類、ポリオキシエチレンソルビタンアルキルエステル類、及びアセチレングリコール類などの非イオン性界面活性剤を使用してもよい。  
（定着剤）
非浸透性の記録媒体への定着性を良くするために、定着剤として疎水性樹脂エマルションを使用してもよい。疎水性樹脂エマルションとしては、例えば、ウレタン系樹脂エマルション、アクリル系樹脂エマルション等が挙げられるが、これに限られるものではない。
【００５１】
（その他の添加剤）
分散媒は、その他の添加剤を更に含むことができる。  
例えば、分散媒は、表面張力調整剤を更に含んでいてもよい。
【００５２】
表面張力調整剤として、上述した非イオン性界面活性剤を使用してもよい。表面張力調整剤としては、例えば、ポリオキシエチレンアルキルエーテル類、ポリオキシエチレンアルキルエステル類、ソルビタンアルキルエステル類、ポリオキシエチレンソルビタンアルキルエステル類、及びアセチレングリコール類が挙げられる。また、表面張力調整剤として、シリコン系界面活性剤又はフッ素系界面活性剤を使用してもよい。
【００５３】
インクにおける表面張力剤の濃度は、０．５乃至３質量％の範囲内にあることが好ましい。
【００５４】
分散媒は、ｐＨ調整剤又は防腐剤若しくは防カビ剤を更に含んでいてもよい。  
ｐＨ調整剤としては、例えば、水酸化ナトリウム、水酸化カリウム、リン酸二水素カリウム、及びリン酸水素二ナトリウムが挙げられる。
【００５５】
防腐剤又は防カビ剤としては、例えば、安息香酸ナトリウム、ペンタクロロフェノールナトリウム、２−ピリジンチオール−１−オキサイドナトリウム、ソルビン酸ナトリウム、でヒドロ酢酸ナトリウム、及び１，２−ジベンゾソチアゾリン−３−オンが挙げられる。
【００５６】
再生装置２０は、消色装置２１と、洗浄装置２２と、プロセッサ（判断装置）２３とを含んでいる。  
消色装置２１は、記録媒体Ｓを加熱して、それに形成された印刷層を着色状態から消色状態へと変化させる。消色装置２１は、加熱装置を含んでいる。加熱装置は、例えば、ヒートローラ又は赤外線ヒータである。加熱装置は、摩擦によって記録媒体Ｓを加熱するものであってもよい。
【００５７】
洗浄装置２２は、印刷層が設けられた記録媒体Ｓに洗浄剤を供給して、記録媒体Ｓから印刷層を除去する。消色インクを用いた記録媒体Ｓへの印刷と印刷層の消色とを繰り返すと、例えば、印刷層が十分に消色されなくなるか、又は、新たな印刷層の形成が既に形成されている印刷層によって妨げられる可能性がある。記録媒体Ｓから印刷層を除去すると、これらを回避することができる。
【００５８】
洗浄装置２２は、洗浄剤として、例えば液体洗浄剤を記録媒体Ｓへ供給する。  
一例によれば、洗浄装置２２は、洗浄剤を収容した容器と、この容器から洗浄剤が供給され、印刷層へ向けて洗浄剤を噴霧するノズルを含んだ噴霧装置とを含んでいる。この場合、洗浄装置２２は、ノズルから印刷層へ向けて、洗浄剤を十分に高い圧力で噴霧することにより、印刷層を記録媒体Ｓから除去する。
【００５９】
他の例によれば、洗浄装置２２は、上記の洗浄剤を洗浄液として使用する超音波洗浄機である。この場合、洗浄装置２２は、例えば、洗浄液を収容した洗浄槽内で、記録媒体Ｓの印刷層を洗浄液に接触させ、洗浄液に超音波振動を与えることにより、印刷層を記録媒体Ｓから除去する。
【００６０】
更に他の例によれば、洗浄装置２２は、印刷層へ洗浄剤を供給する供給装置と、記録媒体Ｓから印刷層を擦り落とす除去装置とを含んでいる。供給装置は、例えば、洗浄剤を収容した容器と、この容器から洗浄剤が供給され、印刷層へ向けて洗浄剤を噴霧するノズルを含んだ噴霧装置とを含んでいる。或いは、供給装置は、洗浄剤を収容した容器と、この容器から洗浄剤が供給され、印刷層へ洗浄剤を塗布する塗布装置とを含んでいる。或いは、供給装置は、洗浄剤を収容し、記録媒体Ｓをこの洗浄剤に浸漬可能な容器を含んでいる。また、除去装置は、例えば、布又はスキージを含んでいる。このような洗浄装置２２は、例えば、先ず、供給装置から印刷層へ洗浄剤を供給して、記録媒体Ｓから印刷層への除去を容易にする。その後、この洗浄装置２２は、除去装置で記録媒体Ｓから印刷層を擦り落とす。これにより、印刷層を記録媒体Ｓから除去する。
【００６１】
洗浄剤は、例えば、有機溶剤である。洗浄剤としては、エタノール及びプロパノールなどのアルコールを使用することが好ましく、エタノールを使用することが特に好ましい。エタノールは、取り扱いが容易である。
【００６２】
印刷層の除去は、印刷層が記録媒体Ｓから剥離するように行うことが好ましい。  
電子写真法により印刷層を形成した場合、通常、定着に加熱を利用する。即ち、電子写真法では、通常、熱可塑性樹脂を加熱溶融させて、印刷層を記録媒体に定着させる。そのようにして得られた印刷層は、上記の方法で記録媒体から除去しようとしても、除去できないか、又は、洗浄剤に溶解させることによって除去するしかない。
【００６３】
印刷層を洗浄剤に溶解させることにより除去した場合、使用後の洗浄剤から印刷層の溶解物を分離することは難しい。従って、この場合、洗浄剤を洗浄毎に交換するか又は比較的頻繁に交換する必要がある。
【００６４】
これに対し、インクジェット記録法のように、樹脂の加熱溶融なしに印刷層を形成した場合、印刷層の除去は、印刷層が記録媒体Ｓから剥離するように行うことができる。印刷層を剥離することによって除去した場合、剥離した印刷層は、使用後の洗浄剤から容易に分離できる。従って、この場合、洗浄剤を交換する頻度を少なくすることができる。
【００６５】
プロセッサ２３は、再生装置２０の動作に必要な演算及び制御などの処理を行うコンピューターの中枢部分に相当する。プロセッサ２３は、ＲＯＭ（read-only memory）又は補助記憶デバイスなどに記憶されたシステムソフトウェア、アプリケーションソフトウェア又はファームウェアなどのプログラムに基づいて、再生装置２０の各種の機能を実現するべく各部を制御する。なお、当該プログラムの一部又は全部は、プロセッサ２３の回路内に組み込まれていても良い。プロセッサ２３は、例えば、ＣＰＵ（central processing unit）、ＭＰＵ（micro processing unit）、ＳｏＣ（system on a chip）、ＤＳＰ（digital signal processor）、ＧＰＵ（graphics processing unit）、ＡＳＩＣ（application specific integrated circuit）、ＰＬＤ（programmable logic device）又はＦＰＧＡ（field-programmable gate array）などである。或いは、プロセッサ２３は、これらのうちの複数を組み合わせたものである。  
プロセッサ２３は、印刷層の除去の要否を判断するか、又は、印刷層の残留物が表示する画像の濃度、記録媒体の被印刷面の光沢、若しくは被印刷面の表面粗さを閾値と比較して、印刷層が十分に除去されたかを判断する。プロセッサ２３は、例えば、記録媒体Ｓの被印刷面へ向けて可視光及び紫外光などの光を照射する光照射装置と、被印刷面のうち光照射している部分を撮像する撮像装置と組み合わせて使用される。プロセッサ２３は、撮像装置の出力から、印刷層の除去の要否を判断するか、又は、印刷層が十分に除去されたかを判断する。光照射装置及び撮像装置は再生装置２０に備えられる（図示せず）。
【００６６】
一例によれば、画像形成装置１０は、記録媒体Ｓに、印刷回数に関する情報を記録する。また、画像形成装置１０は、印刷回数に関する情報を記録媒体Ｓへ記録するのに先立ち、この記録媒体Ｓに記録された印刷回数に関する情報を読み取る。記録媒体Ｓへの印刷回数に関する情報の記録は、消色インクからなる印刷パターンを形成することにより行ってもよく、加熱によって消色しない印刷パターンを形成することにより行ってもよい。このような記録を行う場合、プロセッサ２３は、撮像装置の出力から印刷回数に関する情報を復号し、印刷回数が閾値（≧２）を超えている場合に、印刷層の除去が必要であると判断する。具体的には、光照射装置は、記録媒体Ｓのうち先の印刷パターンに対応した部分に対して光を照射し、撮像装置は、先の印刷パターンを撮像する。プロセッサ２３は、撮像装置の出力を処理し、これにより得られる印刷回数を閾値と比較する。そして、プロセッサ２３は、この印刷回数が閾値以下である場合には、印刷層の除去は不要であると判断し、この印刷回数が閾値を超えている場合には、印刷層の除去が必要であると判断する。
【００６７】
他の例によれば、プロセッサ２３は、印刷層を消色させた後に、印刷層の除去の要否を判断するか、又は、印刷層が十分に除去されたかを判断する。
【００６８】
例えば、印刷層を消色させた後であって、印刷層を除去する前に、光照射装置は、記録媒体Ｓの被印刷面に対して可視光を照射し、撮像装置は、印刷層が表示する画像を撮像する。プロセッサ２３は、撮像装置の出力を処理し、これにより得られる画像濃度を閾値と比較する。そして、プロセッサ２３は、この画像濃度が閾値以下である場合には、印刷層の除去は不要であると判断し、この画像濃度が閾値を超えている場合には、印刷層の除去が必要であると判断する。
【００６９】
或いは、印刷層を消色させるとともに印刷層を除去した後に、光照射装置は、記録媒体Ｓの被印刷面に対して可視光を照射し、撮像装置は、印刷層の残留物が表示する画像を撮像する。印刷層が紫外線照射によって励起されて可視域の光を発するものである場合には、光照射装置は、記録媒体Ｓの被印刷面に対して紫外光を照射し、撮像装置は、印刷層の残留物が表示する画像を撮像してもよい。プロセッサ２３は、撮像装置の出力を処理し、これにより得られる画像濃度を閾値と比較する。そして、プロセッサ２３は、この画像濃度が閾値以下である場合には、印刷層が十分に除去されたと判断し、この画像濃度が閾値を超えている場合には、印刷層は十分に除去されていないと判断する。
【００７０】
プロセッサ２３は、画像濃度に基づいて判断する代わりに、記録媒体Ｓの被印刷面の光沢に基づいて上記判断を行うものであってもよい。或いは、プロセッサは、記録媒体Ｓの被印刷面の表面粗さに基づいて上記判断を行うものであってもよい。
【００７１】
次に、この画像形成システム１を用いた画像形成方法について説明する。  
図３は、一実施形態に係る画像形成方法を示すフローチャートである。
【００７２】
この方法では、先ず、プロセッサ２３は、記録媒体Ｓに対する洗浄の要否を判断する（ＡＣＴ１）。例えば、プロセッサ２３は、記録媒体Ｓに記録された印刷回数に関する情報を読み取る。そして、プロセッサ２３は、印刷回数が閾値以下である場合には、洗浄は不要であると判断し、印刷回数が閾値を超えている場合には、洗浄が必要であると判断する。
【００７３】
洗浄は不要であるとプロセッサ２３が判断した場合には（ＡＣＴ１のＮｏ）、消色装置２１は、記録媒体Ｓを加熱して、印刷層を消色させる（ＡＣＴ４）。
【００７４】
洗浄が必要であるとプロセッサ２３が判断した場合には（ＡＣＴ１のＹｅｓ）、洗浄装置２２は、記録媒体Ｓを洗浄して、記録媒体Ｓから印刷層を除去する（ＡＣＴ２）。
【００７５】
洗浄後、プロセッサ２３は、再度、記録媒体Ｓに対する洗浄の要否を判断する（ＡＣＴ３）。例えば、プロセッサ２３は、記録媒体Ｓの被印刷面に対して可視光を照射し、印刷層の残留物が表示する画像を撮像し、その画像濃度を閾値と比較する。プロセッサ２３は、この画像濃度が閾値以下である場合には、印刷層が十分に除去されたと判断し、この画像濃度が閾値を超えている場合には、印刷層は十分に除去されていないと判断する。
【００７６】
印刷層は十分に除去されておらず、再度の洗浄が必要とプロセッサ２３が判断した場合には（ＡＣＴ３のＹｅｓ）、洗浄装置２２は、記録媒体Ｓを再度洗浄して、記録媒体Ｓから印刷層の残留物を除去する（ＡＣＴ２）。そして、印刷層は十分に除去されたとプロセッサ２３が判断するまで、洗浄装置２２は、記録媒体Ｓの洗浄を繰り返し行う。
【００７７】
印刷層は十分に除去され、再度の洗浄が必要ないとプロセッサ２３が判断した場合には（ＡＣＴ３のＮｏ）、消色装置２１は、記録媒体Ｓを加熱して、印刷層を消色させる（ＡＣＴ４）。  
消色後、画像形成装置１０は、この記録媒体Ｓに対して、消色インクを用いた印刷を行う（ＡＣＴ５）。  
この方法では、プロセッサ２３による判断を、ＡＣＴ１及びＡＣＴ３において行っているが、ＡＣＴ１及びＡＣＴ３の一方は省略してもよい。
【００７８】
図４は、他の実施形態に係る画像形成方法を示すフローチャートである。  
この方法では、先ず、消色装置２１は、記録媒体Ｓを加熱して、印刷層を消色させる（ＡＣＴ４）。
【００７９】
次に、プロセッサ２３は、記録媒体Ｓに対する洗浄の要否を判断する（ＡＣＴ１）。例えば、プロセッサ２３は、記録媒体Ｓに記録された印刷回数に関する情報を読み取る。加熱によって消色しない印刷パターンによって先の情報が記録されている場合には、記録媒体Ｓの被印刷面のうち上記印刷パターンに対応した部分に可視光を照射して、印刷回数に関する情報を読み取る。加熱によって消色するが、紫外線照射することによって励起されて、可視光を発する印刷パターンによって先の情報が記録されている場合には、記録媒体Ｓの被印刷面のうち上記印刷パターンに対応した部分に紫外光を照射して、印刷回数に関する情報を読み取る。そして、プロセッサ２３は、印刷回数が閾値以下である場合には、洗浄は不要であると判断し、印刷回数が閾値を超えている場合には、洗浄が必要であると判断する。
【００８０】
或いは、光照射装置は記録媒体Ｓの被印刷面に対して可視光を照射し、撮像装置は印刷層が表示する画像を撮像し、プロセッサ２３はその画像濃度を閾値と比較する。印刷層が、紫外線照射することによって励起されて、可視光を発するものである場合には、光照射装置は記録媒体Ｓの被印刷面に対して紫外光を照射し、撮像装置は印刷層が表示する画像を撮像し、プロセッサ２３はその画像濃度を閾値と比較してもよい。プロセッサ２３は、この画像濃度が閾値以下である場合には、洗浄は不要であると判断し、この画像濃度が閾値を超えている場合には、洗浄が必要であると判断する。
【００８１】
洗浄は不要であるとプロセッサ２３が判断した場合には（ＡＣＴ１のＮｏ）、画像形成装置１０は、この記録媒体Ｓに対して、消色インクを用いた印刷を行う（ＡＣＴ５）。
【００８２】
洗浄が必要であるとプロセッサ２３が判断した場合には（ＡＣＴ１のＹｅｓ）、洗浄装置２２は、記録媒体Ｓを洗浄して、記録媒体Ｓから印刷層を除去する（ＡＣＴ２）。
【００８３】
洗浄後、プロセッサ２３は、再度、記録媒体Ｓに対する洗浄の要否を判断する（ＡＣＴ３）。例えば、光照射装置は記録媒体Ｓの被印刷面に対して可視光を照射し、撮像装置は印刷層の残留物が表示する画像を撮像し、プロセッサ２３はその画像濃度を閾値と比較する。印刷層が、紫外線照射することによって励起されて、可視光を発するものである場合には、光照射装置は記録媒体Ｓの被印刷面に対して紫外光を照射し、撮像装置は印刷層の残留物が表示する画像を撮像し、プロセッサ２３はその画像濃度を閾値と比較してもよい。プロセッサ２３は、この画像濃度が閾値以下である場合には、印刷層が十分に除去されたと判断し、この画像濃度が閾値を超えている場合には、印刷層は十分に除去されていないと判断する。
【００８４】
印刷層は十分に除去されておらず、再度の洗浄が必要とプロセッサ２３が判断した場合には（ＡＣＴ３のＹｅｓ）、洗浄装置２２は、記録媒体Ｓを再度洗浄して、記録媒体Ｓから印刷層の残留物を除去する（ＡＣＴ２）。そして、印刷層は十分に除去されたとプロセッサ２３が判断するまで、洗浄装置２２は、記録媒体Ｓの洗浄を繰り返し行う。
【００８５】
印刷層は十分に除去され、再度の洗浄が必要ないとプロセッサ２３が判断した場合には（ＡＣＴ３のＮｏ）、画像形成装置１０は、この記録媒体Ｓに対して、消色インクを用いた印刷を行う（ＡＣＴ５）。  
この方法では、プロセッサ２３による判断を、ＡＣＴ１及びＡＣＴ３において行っているが、ＡＣＴ１及びＡＣＴ３の一方は省略してもよい。
【００８６】
上記の画像形成システム１では、印刷が繰り返し行われた記録媒体Ｓから印刷層を除去する。これにより、印刷層が十分に消色されなくなるか、又は、新たな印刷層の形成が既に形成されている印刷層によって妨げられる可能性を排除できる。従って、上記の画像形成システム１によると、記録媒体Ｓを多数回使用することが可能である。  
上記の画像形成システム１では、画像形成装置１０と再生装置２０を別々の装置として説明したが、１つの装置内に画像形成装置１０と再生装置２０を備える構成であってもよい。
【実施例】
【００８７】
以下に、実施例を記載する。
【００８８】
＜加熱消色性発色粒子の調製＞
東芝テック社製の消色印刷装置Ｌｏｏｐｓ（登録商標）に搭載されている消色性トナーを取り出した。取り出した消色性トナー３０質量部とイオン交換水６８質量部と界面活性剤２質量部とを混合した。以上のようにして、加熱消色性発色粒子を含んだ分散液を調製した。
【００８９】
＜消色インクの調製＞
加熱消色性発色粒子の量で３３質量部の上記分散液と、２５質量部のプロピレングリコールと、１５質量部のウレタン系樹脂エマルションと、吐出安定剤である１質量部の日信化学工業社製サーフィノール（登録商標）４６５と、防腐剤である０．２質量部のＬｏｎｚａ社製プロキセル（登録商標）ｘＬ−２と、２５．８質量部の純水とを混合し、この混合液を、スターラを用いて１時間に亘って攪拌した。その後、この混合液を、１μｍのメンブレンフィルタで濾過した。これにより、消色インクを得た。
【００９０】
＜評価＞
上記の消色インクを用いた印刷を行った。この印刷には、ピエゾヘッドを搭載した東芝テック社製のインクジェットヘッドを搭載したインクジェット記録装置を使用した。記録媒体としては、被印刷面が非浸透性であるもの、具体的には、ポリエチレンテレフタレートからなる成形品を使用した。そして、その被印刷面のうち各辺が１０ｍｍの正方形状の領域にベタ印刷を行った。これにより形成した印刷層は、ドライヤで１０秒間に亘って加熱した。このとき、記録媒体の表面温度は５０℃以下であった。
【００９１】
次に、印刷物を８０℃に加熱して、印刷層を消色させた。  
この印刷と消色とからなるサイクルを５回繰り返した。その後、記録媒体の被印刷面をエタノールにて洗浄して、記録媒体から印刷層を除去した。
【００９２】
このようにして、印刷層を除去した記録媒体に対して、上記の印刷と消色とからなるサイクルを５回繰り返した。  
記録媒体から印刷層を除去する前及び記録媒体から印刷層を除去した後の何れにおいても、上記の印刷及び消色工程において、インク定着不良や消色性不良は起こらなかった。
【００９３】
なお、本発明は、上記実施形態に限定されるものではなく、実施段階ではその要旨を逸脱しない範囲で種々に変形することが可能である。また、実施形態は適宜組み合わせて実施してもよく、その場合、組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００９４】
１…画像形成システム、１０…画像形成装置、１１…筐体、１２…インク吐出装置、１３…移動装置、１４…搬送装置、１５…ホスト制御装置、２０…再生装置、２１…消色装置、２２…洗浄装置、２３…プロセッサ（判断装置）、１２１…インクカートリッジ、１２２…インクジェットヘッド、１３１…キャリッジ、１３２…ローラ、１３３…ベルト。
【図１】
2020066163.tif 000003
【図２】
2020066163.tif 000004
【図３】
2020066163.tif 000005
【図４】
2020066163.tif 000006